(57)【要約】【課題】１部品の固定式スタンドホルダーを介して固定式スタンドを取付けることも、チルト式スタンドホルダーとスタンドヒンジの２部品を介してチルト式スタンドを取付けることもできる、電子機器のスタンド取付構造を提供する。【解決手段】フロントキャビネット１に左右一対のボス部１ａを形成し、ボス部の先端からチルト式スタンドホルダー４の厚さ寸法だけ下げてボス部の外面にホルダー支持部１ｂを形成する一方、リアキャビネット２に左右一対の押え部２ｄを形成する。固定式スタンドＳ１は、ボス部と押え部の間に挟んでビス８ｂで共締めした固定式スタンドホルダー３に取付け、チルト式スタンドＳ２は、チルト式スタンドホルダーの孔４ａをボス部の先端に遊嵌してホルダー支持部で支え、チルト式スタンドＳ１に取付けたスタンドヒンジ５をチルト式スタンドホルダーに重ねてボス部と押え部の間に挟挿し、ビスで共締めして取付ける構造とする。【選択図】図７
2010072499.tif 000002
【特許請求の範囲】
【請求項１】
電子機器のキャビネットの下部に、固定式スタンドホルダーを介して固定式スタンドを取付けることも、チルト式スタンドホルダーとスタンドヒンジを介してチルト式スタンドを取付けることも可能なスタンド取付構造であって、
上記キャビネットはフロントキャビネットとリアキャビネットからなり、フロントキャビネットの下部裏面には後方へ突き出す左右一対のボス部が形成されると共に、各ボス部の先端からチルト式スタンドホルダーの左右両端部の厚さ寸法だけ下げて各ボス部の外面にホルダー支持部が形成されており、一方、リアキャビネットの下部には、左右一対の押え部が左右一対のボス部に対向して形成されると共に、固定式スタンドホルダーの凸部を外側へ突出させる開口と、スタンドヒンジを挿入する挿入口が形成されており、
上記固定式スタンドは、固定式スタンドホルダーの左右両端部を、フロントキャビネットの左右一対のボス部の先端とリアキャビネットの左右一対の押え部との間に挟んで、固定式スタンドホルダーの凸部をリアキャビネット下部の開口から外側へ突出させると共に、左右一対の押え部のビス挿通孔から固定式スタンドホルダーの左右両端部のビス挿通孔を通して左右一対のボス部のビス孔にねじ込んだビスで共締めすることによって固定された固定式スタンドホルダーの該凸部に取付けられ、
上記チルト式スタンドは、チルト式スタンドホルダーの左右両端部に形成した上記ボス部より少し大きい孔をフロントキャビネットの左右一対のボス部の先端部に遊嵌してホルダー支持部でチルト式スタンドホルダーを支持させ、チルト式スタンドに固定したスタンドヒンジを、フロントキャビネットに被せて接合したリアキャビネット下部の挿入口からリアキャビネット内部に挿入してチルト式スタンドホルダーに重ねると共に、スタンドヒンジの左右両端部をフロントキャビネットの左右一対のボス部とリアキャビネットの左右一対の押え部との間に挟挿し、左右一対の押え部のビス挿通孔からスタンドヒンジの左右両端部のビス挿通孔を通して左右一対のボス部のビス孔にねじ込んだビスで共締めすることによって取付けられることを特徴とする電子機器のスタンド取付構造。
【請求項２】
ホルダー支持部が、ボス部の外周面に複数形成されたリブ片であることを特徴とする請求項１に記載のスタンド取付構造。
【請求項３】
チルト式スタンドホルダーに、スタンドヒンジの左右両端部を押える左右一対の押え片が形成されていることを特徴とする請求項１又は請求項２に記載のスタンド取付構造。
【請求項４】
電子機器が液晶テレビであって、固定式スタンドホルダー又はチルト式スタンドホルダーが、フロントキャビネットの内側に取付けられた液晶モジュールのリアフレームにも固定されることを特徴とする請求項１ないし請求項３のいずれかに記載のスタンド取付構造。
【発明の詳細な説明】
【技術分野】
【０００１】
本発明は電子機器のスタンド取付構造に関し、更に詳しくは、固定式スタンドホルダーを介して固定式スタンドを取付けることも、チルト式スタンドホルダーとスタンドヒンジを介してチルト式スタンドを取付けることもできるようにしたスタンド取付構造に関する。
【背景技術】
【０００２】
薄型表示装置のスタンド取付構造として、フロントキャビネットの裏面から後方に突出したボス部を形成し、このボス部を取り囲むように嵌合する嵌合部を表示パネルに設けると共に、この嵌合部とリアキャビネットとの間にチルト式スタンドの支持部を挟み、ネジをリアキャビネットから支持部、表示パネルの嵌合部を通してボス部にねじ込んで共締めしたスタンド取付構造が知られている（特許文献１）。
【０００３】
また、液晶テレビのなかには、キャビネットの下部に、２部品の固定ヒンジ部材を介して固定式スタンドを取付けることも、２部品のチルトヒンジ部材を介してチルト式スタンドを取付けることもできるスタンド取付構造を採用したものが存在する。
【特許文献１】特開２００８−１２９３９０号公報
【発明の開示】
【発明が解決しようとする課題】
【０００４】
上記特許文献１のスタンド取付構造は、表示パネルの歪みを防止するための取付金具を省略できるという利点を有するものであるが、チルト式スタンドのみに限定された取付構造であり、支持部の形状等が異なる固定式スタントまで取付けられるようにしたものではない。
【０００５】
一方、２部品の固定ヒンジ部材や２部品のチルトヒンジ部材を介して、固定式スタンドでもチルト式スタンドでも取付けることができるスタンド取付構造は有用であるが、本来、固定ヒンジ部材は１部品で足りるものであるから、２部品の固定ヒンジ部材を用いることは無駄であり、コストアップの一因となる。
【０００６】
本発明は上記事情の下になされたもので、その解決しようとする課題は、固定ヒンジ部材として１部品の固定式スタンドホルダーを介して固定式スタンドを取付けることも、チルトヒンジ部材としてチルト式スタンドホルダーとスタンドヒンジの２部品を介してチルト式スタンドを取付けることもできる、電子機器のスタンド取付構造を提供することにある。
【課題を解決するための手段】
【０００７】
上記課題を解決するため、本発明に係る電子機器のスタンド取付構造は、電子機器のキャビネットの下部に、固定式スタンドホルダーを介して固定式スタンドを取付けることも、チルト式スタンドホルダーとスタンドヒンジを介してチルト式スタンドを取付けることも可能なスタンド取付構造であって、
上記キャビネットはフロントキャビネットとリアキャビネットからなり、フロントキャビネットの下部裏面には後方へ突き出す左右一対のボス部が形成されると共に、各ボス部の先端からチルト式スタンドホルダーの左右両端部の厚さ寸法だけ下げて各ボス部の外面にホルダー支持部が形成されており、一方、リアキャビネットの下部には、左右一対の押え部が左右一対のボス部に対向して形成されると共に、固定式スタンドホルダーの凸部を外側へ突出させる開口と、スタンドヒンジを挿入する挿入口が形成されており、
上記固定式スタンドは、固定式スタンドホルダーの左右両端部を、フロントキャビネットの左右一対のボス部の先端とリアキャビネットの左右一対の押え部との間に挟んで、固定式スタンドホルダーの凸部をリアキャビネット下部の開口から外側へ突出させると共に、左右一対の押え部のビス挿通孔から固定式スタンドホルダーの左右両端部のビス挿通孔を通して左右一対のボス部のビス孔にねじ込んだビスで共締めすることによって固定された固定式スタンドホルダーの該凸部に取付けられ、
上記チルト式スタンドは、チルト式スタンドホルダーの左右両端部に形成した上記ボス部より少し大きい孔をフロントキャビネットの左右一対のボス部の先端部に遊嵌してホルダー支持部でチルト式スタンドホルダーを支持させ、チルト式スタンドに固定したスタンドヒンジを、フロントキャビネットに被せて接合したリアキャビネット下部の挿入口からリアキャビネット内部に挿入してチルト式スタンドホルダーに重ねると共に、スタンドヒンジの左右両端部をフロントキャビネットの左右一対のボス部とリアキャビネットの左右一対の押え部との間に挟挿し、左右一対の押え部のビス挿通孔からスタンドヒンジの左右両端部のビス挿通孔を通して左右一対のボス部のビス孔にねじ込んだビスで共締めすることによって取付けられることを特徴とするものである。
【０００８】
本発明のスタンド取付構造においては、ホルダー支持部が、ボス部の外周面に複数形成されたリブ片であることが好ましい。そして、チルト式スタンドホルダーに、スタンドヒンジの左右両端部を押える左右一対の押え片を形成することが好ましい。また、電子機器が液晶テレビであって、固定式スタンドホルダー又はチルト式スタンドホルダーを、フロントキャビネットの内側に取付けられた液晶モジュールのリアフレームにも固定することが好ましい。
【発明の効果】
【０００９】
本発明に係る電子機器のスタンド取付構造によれば、固定式スタンドを取付ける場合は、フロントキャビネットの左右一対のボス部とリアキャビネットの左右一対の押え部との間に固定式スタンドホルダーの左右両端部を挟んでネジで共締めするようにしているので、ボス部と押え部との間にはチルト式スタンドホルダーとスタンドヒンジの２部品を挟挿する隙間は存在しない。けれども、左右一対のボス部の外面には、各ボス部の先端からチルト式スタンドホルダーの左右両端部の厚さ寸法だけ下げてホルダー支持部が形成されているため、チルト式スタンドホルダーとスタンドヒンジの２部品を用いてチルト式スタンドを取付ける場合は、チルト式スタンドホルダーの左右両端部に形成した孔（ボス部より少し大きい孔）を左右一対のボス部の先端部に遊嵌してチルト式スタンドホルダーをホルダー支持部で支持させることにより、チルト式スタンドホルダーの取付位置をその厚さ寸法だけ下げて取付け、スタンドヒンジをチルト式スタンドホルダーに重ねてスタンドヒンジの左右両端部を左右一対のボス部と左右一対の押え部の間に挟挿してビスで共締めすることができる。このように、本発明のスタンド取付構造は、フロントキャビネットやリアキャビネットのスタンド取付部分の形状を変更することなく、固定式スタンドの場合は１部品の固定式スタンドホルダーを用いて、また、チルト式スタンドの場合はチルト式スタンドホルダーとスタンドヒンジの２部品を用いて取付けることができるので、固定式スタンドを取付ける場合に、従来よりも固定ヒンジの部品数を一つ削減してコストダウンを図ることができる。
【００１０】
そして、ホルダー支持部が、ボス部外周面に複数形成されたリブ片であると、これらのリブ片によってチルト式スタンドホルダーを支持できることに加えて、ボス部を補強できる利点がある。また、チルト式スタンドホルダーに、スタンドヒンジの左右両端部を押える左右一対の押え片が形成されていると、共締めのビスと押え片によってスタンドヒンジが固定されるので、共締めのビスのみで固定する場合に比べてスタンドヒンジのガタツキを抑制できる利点がある。
【００１１】
更に、電子機器が液晶テレビであって、固定式スタンドホルダー又はチルト式スタンドホルダーが、フロントキャビネットの内側に取付けられた液晶モジュールのリアフレームにも固定されている場合は、共締めのビスのみで固定する場合に比べて、固定式スタンドホルダー又はチルト式スタンドホルダーの固定強度が増し、ガタツキを抑制できる利点がある。
【発明を実施するための最良の形態】
【００１２】
以下、図面を参照して本発明の具体的な実施形態を詳述する。
【００１３】
図１は本発明に係る電子機器のスタンド取付構造の断面図であって、固定式スタンドホルダーを介して固定式スタンドを電子機器のキャビネットの下部に取付けた状態を示す。図２、図３は固定式スタンドを取付ける場合の取付方法を説明する斜視図、図４はフロントキャビネットのボス部のところで切断した同スタンド取付構造の断面図である。図５、図６はチルト式スタンドを取付ける場合の取付方法を説明する斜視図、図７はフロントキャビネットのボス部のところで切断したスタンド取付構造の断面図であって、チルト式スタンドホルダーとスタンドヒンジを介してチルト式スタンドをキャビネットの下部に取付けた状態を示す。
【００１４】
図１〜図７に示す実施形態のスタンド取付構造は、液晶テレビのキャビネットＣの下部に、固定式スタンドホルダー３を介して固定式スタンドＳ１を取付けることも、チルト式スタンドホルダー４とスタンドヒンジ５を介してチルト式スタンドＳ２を取付けることも可能にしたものである。
【００１５】
液晶テレビのキャビネットＣは、合成樹脂製のフロントキャビネット１とリアキャビネット２からなり、図１に示すように、フロントキャビネット１の内側には、液晶モジュールＭがフロントキャビネット１の前面開口部の背後に位置して取付けられている。フロントキャビネット１とリアキャビネット２は、その四隅のコーナー部と下壁部をそれぞれネジ止めすると共に、フロントキャビネット１の上壁後端部及び側壁後端部に形成された複数の係合突起（フック）をリアキャビネット２の上壁前端部及び側壁前端部に形成された複数の被係合孔に係合させることによって、分離可能に接合されている。
【００１６】
フロントキャビネット１の下部裏面には、後方へ突き出す左右一対のボス部１ａ，１ａが形成されており、各ボス部１ａの外周面には、ホルダー支持部として複数（４つ）のリブ片１ｂが形成されている。これらのリブ片１ｂは、図５，図７に示すように、ボス部１ａの先端から板金製のチルト式スタンドホルダー４の左右両端部の厚さ寸法だけ一段下げて形成されており、各リブ片１ｂの先端（上端）は、チルト式スタンドホルダー４を安定して支持できるように、ボス部１ａに対して垂直な平坦面とされている。従って、後述するようにチルト式スタンドホルダー４の左右両端部の孔４ａ，４ａ（ボス部１ａよりも少し大きい孔）を左右一対のボス部１ａ，１ａの先端部に遊嵌してリブ片１ｂでチルト式スタンドホルダー４を支持させると、チルト式スタンドホルダー４の表面（上面）とボス部１ａの先端面が面一になる。ホルダー支持部としては、リブ片１ｂ以外に例えば鍔部を形成することも考えられるが、ホルダー支持部として上記のリブ片１ｂを形成すると、リブ片１ｂの補強作用によってボス部１ａの強度が向上する利点があるので好ましい。
【００１７】
一方、リアキャビネット２の下部には、固定式又はチルト式スタンドＳ１又はＳ２のネック部６を収容する収容凹部２ａ（図１，図２，図４参照）と、板金製の固定式スタンドホルダー３の凸部３ａを外側へ突出させる開口２ｂ（図２，図３参照）と、板金製のスタンドヒンジ５を挿入する挿入口２ｃ（図２，図６，図７参照）が形成されている。そして、図２に示すように、開口２ｂの左右両側には、左右一対の押え部２ｄ，２ｄがフロントキャビネット１の左右一対のボス部１ａ，１ａに対向して形成されており、図４，図７に示すように、フロントキャビネット１とリアキャビネット２を接合した状態では、ボス部１ａと押え部２ｄとの間に、固定式スタンドホルダー３の左右両端部を挟んだり、スタンドヒンジ５の左右両端部を挟挿することができるだけの隙間が生じるようになっている。
【００１８】
固定式スタンドホルダー３を介して固定式スタンドＳ１をキャビネットＣの下部に取付ける場合は、図２に示すように、先ず、固定式スタンドホルダー３の左右両端部に形成されたビス挿通孔３ｂ，３ｂをフロントキャビネット１の左右一対のボス部１ａ，１ａに位置合わせして、固定式スタンドホルダー３の左右両端部をボス部１ａ，１ａに重ねると共に、固定式スタンドホルダー３の段付き先端部３ｃを液晶モジュールＭのリアフレームに重ね、段付き先端部３ｃの両端部をビス８ａ，８ａでリアフレームに固定する。
【００１９】
次いで、図３に示すように、リアキャビネット２をフロントキャビネット１に被せて接合し、図３，図４に示すように、固定式スタンドホルダー３の左右両端部をフロントキャビネット１の左右一対のボス部１ａ，１ａとリアキャビネット２の左右一対の押え部２ｄ，２ｄとの間に挟むと共に、固定式スタンドホルダー３の凸部３ａをリアキャビネット２の開口２ｂから外側へ突出させる。そして、ビス８ｂ，８ｂを左右一対の押え部２ｄ，２ｄのビス挿通孔２ｅ，２ｅから固定式スタンドホルダー３の左右両端部のビス挿通孔３ｂ，３ｂを通して左右一対のボス部１ａ，１ａのビス孔１ｃ，１ｃにねじ込み、押え部２ｄ，２ｄと固定式スタンドホルダー３の左右両端部とボス部１ａ，１ａを共締めして、固定式スタンドホルダー３を固定する。
【００２０】
最後に、固定式スタンドＳ１のネック部６をリアキャビネット２の背後から収容凹部２ａに収容して、ネック部６の先端段部６ａを固定式スタンドホルダー３の凸部３ａに重ね、先端段部６ａのビス挿通孔６ｂ，６ｂからビス８ｃ，８ｃを凸部３ａのビス孔３ｄ，３ｄにねじ込んで、固定式スタンドＳ１のネック部６を固定式スタンドホルダー３の凸部に固定すると、キャビネットＣの下部への固定式スタンドＳ１のネック部６の取付けが完了する。
【００２１】
尚、この固定式スタンドＳ１は、図１に示すように、合成樹脂製のネック部６とベース部７からなるものであって、図３に示すように、ネック部６の下端の台部６ｃには前後一対のフック６ｄ，６ｄが設けられており、図１に示すように、ネック部６の台部６ｃをベース部７の中央の嵌合凹部７ａに嵌合すると共に、嵌合凹部７ａの側面に設けられた被係合片７ｂ，ｂ７にフック６ｄ，６ｄを係合さることによって組立てられるものである。
【００２２】
一方、チルト式スタンドホルダー４とスタンドヒンジ５を介してチルト式スタンドＳ２をキャビネットＣの下部に取付ける場合は、図５に示すように、チルト式スタンドホルダー４の左右両端部に形成されたボス部１ａよりも少し大きい孔４ａ，４ａを、フロントキャビネット１の左右一対のボス部１ａ，１ａの先端部（上端部）に遊嵌して、ボス部外周面の４つのリブ片１ｂでチルト式スタンドホルダー４を支持させ、チルト式スタンドホルダー４の段付き先端部４ｂを液晶モジュールＭのリアフレームに重ねて、段付き先端部４ｂの両端部をビス８ａ，８ａでリアフレームに固定する。このようにすると、チルト式スタンドホルダー４の取付位置がその厚さ寸法だけ下がり、チルト式スタンドホルダー４の表面（上面）とボス部１ａの先端面が面一になる。
【００２３】
次いで、図６に示すように、リアキャビネット２をフロントキャビネット１に被せて接合し、チルト式スタンドＳ２のネック部６の先端段部６ａに予めビスで固定されたスタンドヒンジ５を、リアキャビネット２の下部の挿入口２ｃからリアキャビネット内部に挿入して、図７に示すようにスタンドヒンジ５をチルト式スタンドホルダー４に重ねると共に、スタンドヒンジ５の左右両端部をフロントキャビネット１の左右一対のボス部１ａとリアキャビネットの左右一対の押え部２ｄとの間に挟挿し、チルト式スタンドホルダー４の段差部に形成された左右一対の押え片４ｃ，４ｃによってスタンドヒンジ５の左右両端部の挿入方向先端部を押える。このようにすると、チルト式スタンドＳ２のネック部６の上半部がリアキャビネット２の収容凹部２ａに収容された状態となる。
【００２４】
そして、ビス８ｂ，８ｂを左右一対の押え部２ｄ，２ｄのビス挿通孔２ｅ，２ｅからスタンドヒンジ５の左右両端部のビス挿通孔５ａ，５ａを通して左右一対のボス部１ａ，１ａのビス孔１ｃ，１ｃにねじ込んで共締めすると、キャビネットＣの下部へのチルト式スタンドＳ２のネック部６の取付けが完了する。
【００２５】
上記のように、このスタンド取付構造は、リアキャビネット２をフロントキャビネット１に被せて接合した状態では、フロントキャビネット１のボス部１ａ，１ａとリアキャビネット２の押え部２ｄ，２ｄとの間に、固定式スタンドホルダーの左右両端部が挟まれるだけの隙間が生じるようにし、１部品の固定式スタンドホルダー３のみで固定式スタンドＳ１のネック部６が取付けられるようにしているため、ボス部１ａ，１ａと押え部２ｄ，２ｄとの間にはチルト式スタンドホルダー４とスタンドヒンジ５の２部品を挟挿する隙間は存在しない。けれども、ボス部１ａ，１ａの外面には、ボス部の先端からチルト式スタンドホルダー４の左右両端部の厚さ寸法だけ下げてリブ片１ｂ（ホルダー支持部）が形成されているため、チルト式スタンドホルダー４とスタンドヒンジ５の２部品を用いてチルト式スタンドＳ２のネック部６を取付ける場合は、チルト式スタンドホルダー４の左右両端部に形成したボス部より少し大きい孔４ａ，４ａをボス部１ａ，１ａの先端部に遊嵌してチルト式スタンドホルダー４をリブ片１ｂで支持させることにより、チルト式スタンドホルダー４の取付位置をその厚さ寸法だけ下げて取付け、スタンドヒンジ５をチルト式スタンドホルダー４に重ねてスタンドヒンジ５の左右両端部をボス部１ａ，１ａと押え部２ｄ，２ｄの間に挟挿し、ビス８ｂ，８ｂで共締めして取付けることができる。このように、１部品の固定式スタンドホルダーを介して固定式スタンドを取付けることも、チルト式スタンドホルダーとスタンドヒンジの２部品を介してチルト式スタンドを取付けることもできるので、固定式スタンドを取付ける場合に、従来よりも固定ヒンジの部品数を一つ削減してコストダウンを図ることができる。
【００２６】
また、このスタンド取付構造は、固定式スタンドホルダー３もチルト式スタンドホルダー４も、その段付き先端部３ｃ，４ｂが液晶モジュールＭのリアフレームに固定されるので、共締めのビス８ｂ，８ｂのみで固定する場合に比べて、固定式スタンドホルダー３やチルト式スタンドホルダー４の固定強度が増し、ガタツキを抑制することができる。そして、チルト式スタンドホルダー４に押え片４ｃ，４ｃを設けて、スタンドヒンジ５の左右両端部を押えているので、共締めのビス８ｂ，８ｂのみで固定する場合に比べて、スタンドヒンジ５のガタツキを抑制することもできる。
【図面の簡単な説明】
【００２７】
【図１】本発明に係る電子機器のスタンド取付構造の断面図であって、固定式スタンドホルダーを介して固定式スタンドを電子機器のキャビネットの下部に取付けた状態を示す。
【図２】固定式スタンドを取付ける場合の取付方法を説明する斜視図である。
【図３】固定式スタンドを取付ける場合の取付方法を説明する斜視図である。
【図４】フロントキャビネットのボス部のところで切断した同スタンド取付構造の断面図である。
【図５】チルト式スタンドを取付ける場合の取付方法を説明する斜視図である。
【図６】チルト式スタンドを取付ける場合の取付方法を説明する斜視図である。
【図７】フロントキャビネットのボス部のところで切断したスタンド取付構造の断面図であって、チルト式スタンドホルダーとスタンドヒンジを介してチルト式スタンドをキャビネットの下部に取付けた状態を示す。
【符号の説明】
【００２８】
Ｃ    電子機器（液晶テレビ）のキャビネット
Ｓ１  固定式スタンド
Ｓ２  チルト式スタンド
１    フロントキャビネット
１ａ  ボス部
１ｂ  リブ片（ホルダー支持部）
１ｃ  ビス孔
２    リアキャビネット
２ａ  収容凹部
２ｂ  開口
２ｃ  挿入口
２ｄ  押え部
２ｅ  押え部のビス挿通孔
３    固定式スタンドホルダー
３ａ  凸部
３ｂ  ビス挿通孔
３ｄ  ビス孔
４    チルト式スタンドホルダー
４ａ  ボス部より少し大きい孔
４ｃ  押え片
５    スタンドヒンジ
５ａ  ネジ挿通孔
６    ネック部
７    ベース部
８ａ，８ｂ，８ｃ  ビス
【図１】
2010072499.tif 000003
【図２】
2010072499.tif 000004
【図３】
2010072499.tif 000005
【図４】
2010072499.tif 000006
【図５】
2010072499.tif 000007
【図６】
2010072499.tif 000008
【図７】
2010072499.tif 000009